(57)【要約】【課題】ネットの取り付けを簡単に行なうことができ、低廉化を図ることができる物品収納棚の保護装置を提供する。【解決手段】線材を格子状に接続して構成した矩形状のネット８が、物品収納棚１の外面部に沿って複数並べる状態で、物品収納棚１に取り付けられ、矩形状のネット８における４辺のうちの少なくとも対向する一対の辺に対応するネット端部８ａが、物品収納棚側に折り曲げた状態に形成されている。【選択図】図１
2007145580.tif 000002
【特許請求の範囲】
【請求項１】
線材を格子状に接続して構成した矩形状のネットが、物品収納棚の外面部に沿って複数並べる状態で、物品収納棚に取り付けられた物品収納棚の保護装置であって、
前記矩形状のネットにおける４辺のうちの少なくとも対向する一対の辺に対応するネット端部が、物品収納棚側に折り曲げた状態に形成されている物品収納棚の保護装置。
【請求項２】
前記ネットが、隣接する前記ネットと間隔を隔てた形態で、前記物品収納棚に取り付けられている請求項１に記載の物品収納棚の保護装置。
【請求項３】
前記ネットが、その周縁部よりも内方側が支持される状態で、前記物品収納棚に取り付けられている請求項１又は２に記載の物品収納棚の保護装置。
【請求項４】
ネット取り付け用柱状体が、前記物品収納棚の外面部から棚外方側に突出する状態で前記物品収納棚に取り付けられ、前記ネットが、前記柱状体の長手方向に沿う端部を、物品収納棚側に折り曲げた状態に形成されて、前記柱状体の長手方向と交差する方向の中間部を前記柱状体に支持されている請求項３に記載の物品収納棚の保護装置。
【発明の詳細な説明】
【技術分野】
【０００１】
本発明は、線材を格子状に接続して構成した矩形状のネットが、物品収納棚の外面部に沿って複数並べる状態で、物品収納棚に取り付けられた物品収納棚の保護装置に関する。
【背景技術】
【０００２】
かかる物品収納棚の保護装置は、線材を格子状に接続して構成した矩形状のネットが、物品収納棚の外面部に沿って複数並べる状態で、物品収納棚に取り付けられることにより、例えば、物品収納棚に収納した物品の姿勢が崩れたときに、物品が物品収納棚の外側に落下することを防止したり、人が物品収納棚の外側から入り込むことを防止する等、安全性の向上を図ることができるようにしたものである。
【０００３】
かかる物品収納棚の保護装置において、従来では、線材を格子状に接続して構成した矩形状のネットが、平板状にて構成されていた。そして、凹部を備えた連結金具を物品収納棚に取り付け、隣接する一対の矩形状のネットの端部の線材を連結金具の凹部に入り込ませ、隣接する一対の矩形状のネットの位置調整を行いながら、１つの押さえピースを凹部の内方側に締め付けることにより、矩形状のネットの周縁部に設けられた複数の連結金具にて矩形状のネットを物品収納棚に取り付けるものがあった。（例えば、特許文献１参照。）。
【０００４】
【特許文献１】特許２５２０７２８号
【発明の開示】
【発明が解決しようとする課題】
【０００５】
従来では、矩形状のネットが平板状に構成されているため、矩形状のネットそのものには充分な保形強度を備えさせ難いものであり、そのため、複数枚の矩形状のネットを、物品収納棚の外面部に沿って複数並べる状態で取り付ける際に、複数枚の矩形状のネットの夫々が必要な保形強度を備えるように取り付けて、物品の接当等により矩形状のネットが変形損傷するのを回避できるようにする必要がある。具体的には、矩形状のネットの周縁部における多数点を物品収納棚の外面部に取り付けるようにして、その多数点の取り付けにより矩形状のネットに必要な保形強度を備えさせる必要がある。
しかしながら、矩形状のネットの周縁部における多数点を物品収納棚の外面部に取り付けるようにすると、多数点の取り付けのためにその取り付け作業が煩雑な作業となるものであり、改善が望まれるものであった。
尚、上記した従来では、隣接する矩形状のネットの周縁部を一挙に取り付けるようにすることにより、その取り付け作業の簡略化を図れるものであるが、複数枚の矩形状のネットの周縁部における多数点を物品収納棚の外面部に取り付ける必要があることに変わりが無いため、取り付け作業の簡略化を充分に図り難いものである。
【０００６】
ちなみに、矩形状のネットを構成するにあたり、線材として充分な強度を備える大径の線材を用い、また、線材の配設ピッチを小さくして、矩形状のネットを、平板状でありながらも必要が保形強度を備えるようにすることが考えられるが、矩形状のネットが高価にで、しかも、重量が大きくなる等の不利があり、実用できないものである。
【０００７】
本発明は、上記実状に鑑みて為されたものであって、その目的は、物品収納棚の外面部への取り付け作業の簡略化を図りながらも、物品収納棚の外面部に取り付けた状態において、矩形状のネットに必要な保形強度を備えさせることが可能な物品収納棚の保護装置を提供する点にある。
【課題を解決するための手段】
【０００８】
本発明の物品収納棚の保護装置は、線材を格子状に接続して構成した矩形状のネットが、物品収納棚の外面部に沿って複数並べる状態で、物品収納棚に取り付けられたものであって、その第１特徴構成は、前記矩形状のネットにおける４辺のうちの少なくとも対向する一対の辺に対応するネット端部が、物品収納棚側に折り曲げた状態に形成されている点にある。
【０００９】
すなわち、矩形状のネットは、その４辺のうちの少なくとも対向する一対の辺に対応するネット端部が物品収納棚側に折り曲げた状態に形成されているから、その折り曲げによる補強により、それ自体の保形強度が増加することになる。このため、矩形状のネットを物品収納棚の外面部に取り付けるにあたり、その取り付け点を少なくしても、物品収納棚の外面部に取り付けた状態において、矩形状のネットに必要な保形強度を備えさせることが可能となるのであり、換言すれば、矩形状のネットを物品収納棚の外面部に取り付ける取り付け点を少なくして、矩形状のネットを物品収納棚の外面部に取り付ける作業の簡略化を図ることができるのである。
また、矩形状のネットはその端部が折り曲げられた状態となるが、その折り曲げは物品収納棚側への折り曲げであるから、物品収納棚の外面部は、矩形状のネットが取り付けられた状態においても平坦面状になり、物品収納棚の外部において作業する作業者等の作業に支障をきたすことがないものである。
したがって、物品収納棚の外面部への取り付け作業の簡略化を図りながらも、物品収納棚の外面部に取り付けた状態において、矩形状のネットに必要な保形強度を備えさせることが可能な物品収納棚の保護装置を提供するに至った。
【００１０】
本発明の第２特徴構成は、上記第１特徴構成に加えて、前記ネットが、隣接する前記ネットと間隔を隔てた形態で、前記物品収納棚に取り付けられている点を特徴とする。
【００１１】
すなわち、ネットが、隣接するネットと間隔を隔てた形態で、物品収納棚に取り付けられているから、ネットが、隣接するネットとの間を近接させた形態で、物品収納棚に取り付けられるに比して、物品収納棚の外面部に取り付けられるネットの枚数を減らすことができるので、低廉化を図ることができるものとなる。又、ネットを物品収納棚に取り付ける際に、ネットの取り付け位置が適正な取り付け位置からずれたとしても、隣接するネット同士が重なり合う等によりネットを物品収納棚に取り付けることができなくなる虞が少ないものになり、矩形状のネットを物品収納棚に取り付けることを簡単に行なえるものとなる。
したがって、低廉化を図ることができ、加えて、矩形状のネットの物品収納棚への取り付けの容易化を図ることができる物品収納棚の保護装置を提供するに至った。
【００１２】
本発明の第３特徴構成は、上記第１又は第２特徴構成に加えて、前記ネットが、その周縁部よりも内方側が支持される状態で、前記物品収納棚に取り付けられている点を特徴とする。
【００１３】
すなわち、ネットが、その周縁部よりも内方側が支持される状態で、物品収納棚に取り付けられるものであり、ネットにおける周縁部よりも内方側部分は、周縁部に較べて、作業者が大きく位置を変えることなく手が届き易いものとなるから、ネットにおける周縁部よりも内方側における複数点を物品収納棚の外面部に取り付けるようにする際に、その作業を行い易いものとなるのである。
したがって、複数枚の矩形状のネットの取り付け作業の一層の簡略化を図ることが可能となる物品収納棚の保護装置を提供するに至った。
【００１４】
本発明の第４特徴構成は、上記第３特徴構成に加えて、ネット取り付け用柱状体が、前記物品収納棚の外面部から棚外方側に突出する状態で前記物品収納棚に取り付けられ、前記ネットが、前記柱状体の長手方向に沿う端部を、物品収納棚側に折り曲げた状態に形成されて、前記柱状体の長手方向と交差する方向の中間部を前記柱状体に支持されている点を特徴とする。
【００１５】
すなわち、柱状体が、物品収納棚の外面部から棚外方側に突出する状態で物品収納棚に取り付けられ、ネットが、柱状体の長手方向と交差する方向の中間部を柱状体に支持されているから、物品収納棚に取り付けられた柱状体を利用して、矩形状のネットを物品収納棚に取り付け易いものとなる。又、柱状体が、物品収納棚の外面部から棚外方側に突出して設けられることにより、柱状体の物品収納棚の外面部から棚外方側に突出する幅を利用して、柱状体の長手方向に沿うネット端部を物品収納棚側に折り曲げた状態で位置させることが可能なものとなる。
したがって、物品収納棚に取り付けられた柱状体を利用して、矩形状のネットの物品収納棚への取り付けを簡単に行なうことができ、しかも、物品収納棚に取り付けられた柱状体の物品収納棚の外面部から棚外方側に突出する幅を有効に利用して、柱状体の長手方向に沿うネット端部を物品収納棚側に折り曲げた状態で位置させることが可能な物品収納棚の保護装置を提供するに至った。
【発明を実施するための最良の形態】
【００１６】
以下、本発明に係る物品収納棚の保護装置について説明する。
図１〜図３に示すように、棚横幅方向および上下方向夫々に沿って複数の収納部１ａが設けられた物品収納棚１の一対が、この物品収納棚１の棚前面側同士が所定間隔を隔てて向かい合うように床面上に設置されている。前記物品収納棚１の一方の横側には、物品搬出入部２が設けられている。前記物品収納棚１の間に形成された走行用通路Ｔを移動走行自在で、かつ、収納部１ａと物品搬出入部２に対して物品の出し入れ自在なスタッカークレーン３が設けられている。
【００１７】
前記物品収納棚１について説明すると、棚前後幅方向に立設される一対の支柱４が、棚横幅方向に複数並べられている。各一対の支柱４が、上下方向に間隔を隔てた状態で並びかつ棚前後幅方向に沿う複数の梁部材６にて連結固定され、各一対の支柱４のうち棚前面側に位置する複数の支柱４及び棚背面側に位置する複数の支柱４の夫々が、上下方向に間隔を隔てた状態で並びかつ棚横幅方向に沿う複数の梁部材６にて連結固定されている。扁平状の棚板１６が、複数の支柱に支持される状態で上下２段設けられている。そして、各一対の支柱４、複数の梁部材６、及び、棚板１６の間に、収納部１ａが形成されている。収納部１には、その内部に物品を収納するように、一対の物品載置部７が設けられている。一対の物品載置部７は、棚板１６に取り付けて構成されており、一対の物品載置部７の間で物品を載置できるようになっている。
【００１８】
線材を格子状に接続して構成した矩形状のネット８が、各一対の支柱４のうち棚横幅方向の両端に位置する一対の支柱４と棚前後幅方向に沿う複数の梁部材６によって形成される物品収納棚１の外面部に沿って上下方向に複数並べられ、それらネット８が、ネット端部８ａ同士を連結させた状態で、物品収納棚１に取り付けられている。又、線材を格子状に接続して構成した矩形状のネット８が、各一対の支柱４のうち棚背面側に位置する複数の支柱４と棚横幅方向に沿う複数の梁部材６によって形成される物品収納棚１の外面部に沿って上下方向及び棚横幅方向に複数並べる状態で、且つ、隣接するネット８と間隔を隔てた形態で、且つ、周縁部よりも内方側が支持される状態で、物品収納棚１に取り付けられている。
【００１９】
前記物品収納棚１の外面部にネット８を取り付ける構成について説明すると、図４〜７に示すように、胴縁９が、物品収納棚１の外面部から棚外方側に突出する状態で物品収納棚１に取り付けられ、ネット８が、胴縁９の長手方向に沿う端部８ａを、物品収納棚１側に折り曲げた状態に形成されて、胴縁９の長手方向と交差する方向の中間部を胴縁９に支持されている。
【００２０】
説明を加えると、梁部材６の端部に設けられた取付け用プレート１０を、ビス１１にて支柱４の側面に固定することにより、梁部材６が、支柱４に取り付けられている。横断面形状が略コ字形の胴縁９が、Ｕ形ボルト１２にて梁部材６に取り付けられている。胴縁９には、上下方向に複数枚の押さえ板１４が接合されており、胴縁９及びネット８に対してＵ形ボルト１３を内面側から外嵌し、Ｕ形ボルト１３を押さえ板１４に設けられた孔に挿通し、ナット１５をＵ形ボルト１３の先端部に締結することにより、ネット８が、胴縁９に支持されている。棚横幅方向に立設される一対の胴縁９が、複数設けられており、上下方向に沿う端部８ａを折り曲げたネット８が、ネット８の中央部分から左側でかつ上下方向に間隔を隔てて設けられた左側の連結箇所を、一対の胴縁９のうち左側の胴縁９に支持され、且つ、ネット８の中央部分から右側でかつ上下方向に間隔を隔てて設けられた右側の連結箇所を、一対の胴縁９のうち右側の胴縁９に支持されている。
【００２１】
次に、ネット８を前記物品収納棚１に取り付ける作業について説明する。
胴縁９をＵ形ボルト１２にて複数の梁部材６に取り付ける。次に、上下方向に沿う端部８ａを折り曲げたネット８を、一対の胴縁９の棚外方側に密着させる。そして、Ｕ形ボルト１３及びナット１５の締結により、ネット８が、中央部分から左側および右側でかつ上下方向に間隔を隔てている左側および右側の連結箇所、すなわち、中央部分からそれほど離れていない左側および右側の連結箇所を、一対の胴縁９の夫々に支持されている。これにより、作業者の姿勢を大きく変更すること無くネット８を取り付けられるものとなる。又、ネット８が、隣接するネット８と間隔を隔てた形態で、左側および右側の連結箇所を一対の胴縁９に支持されているから、ネット８の取り付け位置が少し斜めに傾いたとしても、隣り合うネット８に干渉することは無いので、ネット８の取り付けを簡単に行なえるものとなる。又、ネット８の端部８ａを、物品収納棚側に折り曲げられているので、ネット８の強度が向上するだけでなく、ネット端部８ａの切断面が物品収納棚側に向くことになり、ネット端部８ａの切断面に金具を設ける必要がないものとなる。
【００２２】
〔別実施の形態〕
（１）上記実施の形態では、線材を格子状に接続して構成した矩形状のネット８が、各一対の支柱４のうち棚横幅方向の両端に位置する一対の支柱４と棚前後幅方向に沿う複数の梁部材６によって形成される物品収納棚１の外面部に沿って上下方向に複数並べられ、それらネット８が、ネット端部８ａ同士を連結させた状態で、物品収納棚１に取り付けられている構成を例示したが、このような構成に代えて、胴縁９が、棚前後幅方向に沿う複数の梁部材６に取り付けられ、それらネット８が、胴縁９の長手方向に沿う端部８ａを、物品収納棚１側に折り曲げた状態に形成されて、胴縁９の長手方向と交差する方向の中間部を胴縁９に支持されている構成としてもよい。
【００２３】
（２）上記実施の形態では、ネット８が、一対の胴縁９の夫々に支持される構成を例示したが、このような構成に代えて、ネット８が、一本の胴縁９に支持される構成としてもよい。あるいは、３本以上の複数本の胴縁９に支持される構成としてもよい
【図面の簡単な説明】
【００２４】
【図１】物品収納棚の全体斜視図
【図２】物品収納棚の全体側面図
【図３】物品収納棚の全体側面図
【図４】胴縁にネットを取り付ける構成の斜視図
【図５】胴縁にネットを取り付ける構成の斜視図
【図６】胴縁にネットを取り付ける構成の断面図
【図７】胴縁にネットを取り付ける構成の断面図
【符号の説明】
【００２５】
１          物品収納棚
８          ネット
８ａ        ネット端部
９          ネット取り付け用柱状体
【図１】
2007145580.tif 000003
【図２】
2007145580.tif 000004
【図３】
2007145580.tif 000005
【図４】
2007145580.tif 000006
【図５】
2007145580.tif 000007
【図６】
2007145580.tif 000008
【図７】
2007145580.tif 000009